(57)【要約】    【課題】親機が有する複数の発報手段を、電力会社からの電源供給を分電する住宅分電盤にて生成される信号の相違に応じて選択する。    【解決手段】電力会社３からの電源供給を分電する住宅分電盤４ａ、４ｂ、・・・にて生成される消費電流信号、過電流警報信号の相違に応じて、親機２ａ、２ｂ、・・・が有する発報手段のうちスピーカ２００からの警報音の鳴動、モニタ２０２の表示のようにそれぞれ選択する。また、住宅分電盤にて過電流警報信号が生成された場合には、ホームサーバ５ａ、５ｂ、・・・を経由して家電機器６ａ、６ｂ、・・・の使用電流を制限する。  【選択図】図１
2007266705.tif 000002
【特許請求の範囲】
【請求項１】
住宅のエントランスに設置され来訪者の映像を撮像するためのカメラ（１０１）を有する玄関機（１）と、前記住宅の住戸内に設置され前記玄関機から呼び出され、前記カメラにて撮像された映像をモニタ（２０２）に出画し、前記玄関機のマイク（１０２）およびスピーカ（１０３）との間で通話を成立させるためのマイク（２０１）およびスピーカ（２００）を有する親機（２ａ、２ｂ、・・・）とを設け、
前記親機は、電力会社（３）からの電源供給を分電し、消費電流を示す消費電流信号、過電流を示す過電流警報信号をそれぞれ生成するための住宅分電盤（４ａ、４ｂ、・・・）に接続され、前記住宅分電盤からの消費電流信号、過電流警報信号の相違に応じて前記スピーカからの警報音の鳴動、前記モニタの表示をそれぞれ選択して発報するための制御回路（２０７）を有することを特徴とする住宅インターホン装置。
【請求項２】
前記制御回路は、前記住宅に設置されるホームサーバ（５ａ、５ｂ、・・・）を制御して、前記過電流警報信号に応じて家電機器（６ａ、６ｂ、・・・）の使用電流を制限することを特徴とする請求項１記載の住宅インターホン装置。
【発明の詳細な説明】
【技術分野】
【０００１】
本発明は、住宅インターホン装置に係り、特に、親機が有する複数の発報手段を、その発報の内容の相違に応じて選択することができる住宅インターホン装置に関する。
【背景技術】
【０００２】
従来から、この種の住宅インターホン装置として、居住者が外出時に電化製品の電源の切り忘れをドアホンより知らせるセキュリティインターホン装置が開示されている（例えば、特許文献１を参照。）。
【０００３】
このセキュリティインターホン装置によれば、予め外出時に動作させておいてもよい電流量を分電盤に登録しておき、住居の外側から施錠した時に電流量がその登録値を超過していると、子機より警告音またはメッセージ音が鳴動されるため、外出時の電化製品の切り忘れによる電気使用量の浪費を防止することができる。
【０００４】
【特許文献１】特開２０００−２８６９７０号公報（段落番号「０００７」乃至「０００９」、第１図）
【発明の開示】
【発明が解決しようとする課題】
【０００５】
背景技術に記載した特許文献１のセキュリティインターホン装置において、子機より鳴動される警告音またはメッセージ音は、住居の外側から施錠した時に電流量がその登録値を超過している内容を示すものである。しかしながら、その原因が過電流であるか否かを居住者が判断できなかった。
【０００６】
本発明は、この難点を解消するためになされたもので、親機が有する複数の発報手段を、電力会社からの電源供給を分電する住宅分電盤にて生成される信号の相違に応じて選択することができる住宅インターホン装置を提供することを目的としている。
【課題を解決するための手段】
【０００７】
前述の目的を達成するため、本発明の第１の態様である住宅インターホン装置は、住宅のエントランスに設置され来訪者の映像を撮像するためのカメラを有する玄関機と、住宅の住戸内に設置され玄関機から呼び出され、カメラにて撮像された映像をモニタに出画し、玄関機のマイクおよびスピーカとの間で通話を成立させるためのマイクおよびスピーカを有する親機とを設けたものである。親機は、電力会社からの電源供給を分電し、消費電流を示す消費電流信号、過電流を示す過電流警報信号をそれぞれ発生するための住宅分電盤に接続され、住宅分電盤からの消費電流信号、過電流警報信号の相違に応じてスピーカからの警報音の鳴動、モニタの表示をそれぞれ選択して発報するための制御回路を有するものである。
【０００８】
また、本発明の第２の態様である住宅インターホン装置は、本発明の第１の態様において、制御回路は、住宅に設置されるホームサーバを制御して、過電流警報信号に応じて家電機器の使用電流を制限するものである。
【発明の効果】
【０００９】
本発明の住宅インターホン装置によれば、電力会社からの電源供給を分電する住宅分電盤にて生成される消費電流信号、過電流警報信号の相違に応じて、親機が有する発報手段のうちスピーカからの警報音の鳴動、モニタの表示のようにそれぞれ選択することができるばかりでなく、住宅分電盤にて過電流警報信号が生成された場合には、ホームサーバを経由して家電機器の使用電流を制限することができる。
【発明を実施するための最良の形態】
【００１０】
以下、本発明の住宅インターホン装置を適用した最良の実施の形態例について、図面を参照して説明する。
【００１１】
図１は、本発明の実施例による住宅インターホン装置の全体構成を示すシステム説明図である。
【００１２】
図１に示す住宅インターホン装置は、その設置場所として、ここでは、マンション等の集合住宅に設置されるものである。この住宅インターホン装置は、集合住宅のエントランス（集合玄関）に設置され、来訪者が複数の住戸のうち特定の住戸内に在室中の居住者を呼び出して通話を成立させるための玄関機１と、複数の住戸の各住戸内にそれぞれ設置され、玄関機１からの呼び出しを報知し、この呼び出しに応答した居住者が来訪者との間で通話を成立させるための親機２ａ、２ｂ、・・・と、電力会社３と、親機２ａ、２ｂ、・・・および電力会社３の間を接続する電源ラインＬ1a、Ｌ1b、・・・上に設置され、電力会社３から親機２ａ、２ｂ、・・・への電源供給を分電し、消費電流を示す消費電流信号、過電流を示す過電流警報信号をそれぞれ生成するための住宅分電盤４ａ、４ｂ、・・・と、住宅に設置され、サーバラインＬ2a、Ｌ2b、・・・を経由して接続された親機２ａ、２ｂ、・・・により制御されるホームサーバ５ａ、５ｂ、・・・および当該ホームサーバに接続された例えば、テレビ、エアコン、冷蔵庫等の各種の家電機器６ａ、６ｂ、・・・と、玄関機ラインＬ3を経由して接続された玄関機１および親機ラインＬ4を経由して接続、例えば、バス接続された親機２ａ、２ｂ、・・・をそれぞれ制御するための制御機７とが備えられている。
【００１３】
なお、家電機器６ａ、６ｂ、・・・は、親機２ａ、２ｂ、・・・と同様、電力会社３から電源供給され住宅分電盤４ａ、４ｂ、・・・を経由して分電される電源が動作電源となるものである。
【００１４】
玄関機１には、操作部１００、カメラ１０１、マイク１０２、スピーカ１０３が備えられている。
【００１５】
この玄関機１において、操作部１００は、集合住宅のエントランスに居る来訪者が、特定の住戸内に在室中の居住者を呼び出すために所定の呼出操作を行うものである。この操作部１００としては、例えば、テンキーボタン、呼出ボタン等が好適とされる。
【００１６】
玄関機１のカメラ１０１は、呼出操作を行った来訪者の映像（集合住宅のエントランスの周囲近傍の映像を含む。）を撮像するためのものである。このカメラ１０１としては、例えば、ＣＣＤ（Charge Coupled Devices）、ＣＭＯＳ（Complementary Metal Oxide Semiconductor）等の各種の撮像素子が好適とされる。
【００１７】
玄関機１のマイク１０２およびスピーカ１０３は、来訪者が居住者との間で通話を成立させるにあたり、通話音声（送話音声、受話音声）を入出力するためのものである。
【００１８】
また、親機２ａ、２ｂ、・・・はそれぞれ同様な構成で個別のＩＤ、例えば、居室番号を有しており、スピーカ２００、マイク２０１、モニタ２０２、操作部２０３が備えられている。
【００１９】
この親機２ａ、２ｂ、・・・において、スピーカ２００は、来訪者からの呼び出しがある旨の呼出音や音声メッセージ等を放音させて当該呼び出しを居住者に報知するとともに、この居住者が来訪者との間で通話を成立させるにあたり、来訪者の通話音声（受話音声）を出力するためのものである。また、スピーカ２００は、住宅分電盤４ａ、４ｂ、・・・にて生成される過電流警報信号に応じて、警報音（警報の音声メッセージを含む。）を鳴動させて発報することができる。
【００２０】
親機２ａ、２ｂ、・・・のマイク２０１は、居住者が来訪者との間で通話を成立させるにあたり、居住者の通話音声（送話音声）を入力するためのものである。
【００２１】
親機２ａ、２ｂ、・・・のモニタ２０２は、来訪者からの呼び出しがある旨の呼出メッセージや絵データ等、玄関機１のカメラ１０１にて撮像された映像をそれぞれ表示／出画するとともに、後述する操作部２０３にて行われる操作情報を表示するためのものである。また、モニタ２０２は、住宅分電盤４ａ、４ｂ、・・・にて生成される消費電流信号に応じて、消費電流量を示す確認メッセージや絵データ等を表示する、或いは、消費電流量をインジケータでレベル表示することができる。このモニタ２０２としては、例えば、ＬＣＤ（Liquid Crystal Display）、有機ＥＬ（Electro Luminescence）ディスプレイ等の各種のディスプレイが好適とされる。
【００２２】
親機２ａ、２ｂ、・・・の操作部２０３は、来訪者からの呼び出しを確認した居住者が所定の応答操作を行うとともに、スピーカ２００にて行われる発報を停止させるためのものである。この操作部２０３としては、例えば、通話ボタン、発報解除ボタンやモニタ２０２の前面に設けられるタッチパネル等が好適とされる。
【００２３】
図２は、本発明の実施例による住宅インターホン装置において、親機２ａ、２ｂ、・・・の具体的な構成を示すブロック図である。
【００２４】
図２に示す親機２ａ、２ｂ、・・・には、前述のスピーカ２００、マイク２０１、モニタ２０２および操作部２０３と、電源回路２０４と、通話回路２０５と、映像処理回路２０６と、制御回路２０７と、３つの信号送受信回路（以下、それぞれ分電盤側Ｉ／Ｆ、サーバ側Ｉ／Ｆ、制御機側Ｉ／Ｆという。）２０８、２０９、２１０とが備えられている。
【００２５】
この親機２ａ、２ｂ、・・・において、電源回路２０４は、電源ラインＬ1a、Ｌ1b、・・・上の住宅分電盤４ａ、４ｂ、・・・を経由して分電される電力会社３からの電源供給を受電し、受電された電源を当該親機の構成各部／回路にそれぞれ待受電源または動作電源として供給するためのものである。
【００２６】
親機２ａ、２ｂ、・・・の通話回路２０５は、マイク２０１に入力された通話音声（送話音声）であり電気信号に信号処理された居住者の音声信号を４線／２線変換、増幅等するとともに、スピーカ２００から出力される来訪者の通話音声（受話音声）であり電気信号に信号処理された音声信号を２線／４線変換、増幅等するためのものである。
【００２７】
親機２ａ、２ｂ、・・・の映像処理回路２０６は、玄関機１のカメラ１０１にて撮像された映像であり、玄関機ラインＬ3、制御機７、親機ラインＬ4を経由して伝送されてくる例えば、ＦＭ（Frequency Modulation）変調された映像信号（映像変調信号）を復調するためのものである。
【００２８】
親機２ａ、２ｂ、・・・の制御回路２０７は、当該親機の構成各部／回路をそれぞれ制御するためのものである。具体的な制御としては、例えば、スピーカ２００を使用した呼び出しの報知制御および過電流による警報の発報制御、モニタ２０２への駆動（動作）制御、モニタ２０２を使用した呼び出しの報知制御および消費電流量のレベル表示制御、操作部２０３の操作検出、電源回路２０４への出力電圧制御、通話回路２０５および映像処理回路２０６への駆動（動作）制御、ホームサーバ５ａ、５ｂ、・・・を経由した家電機器６ａ、６ｂ、・・・への使用電流の制限制御等が行われる。
【００２９】
親機２ａ、２ｂ、・・・の分電盤側Ｉ／Ｆ２０８は、電源ラインＬ1a、Ｌ1b、・・・から電源回路２０４への電源供給路、電源ラインＬ1a、Ｌ1b、・・・から制御回路２０７への信号伝送路をそれぞれ形成するためのものである。
【００３０】
親機２ａ、２ｂ、・・・のサーバ側Ｉ／Ｆ２０９は、制御回路２０７からサーバラインＬ2a、Ｌ2b、・・・への信号伝送路を形成するためのものである。
【００３１】
親機２ａ、２ｂ、・・・の制御機側Ｉ／Ｆ２１０は、親機ラインＬ4および通話回路２０５の間の通話路、親機ラインＬ4から映像処理回路２０６への信号伝送路、親機ラインＬ4および制御回路２０７の間の信号伝送路をそれぞれ形成するためのものである。
【００３２】
このように構成された本発明の実施例による住宅インターホン装置において、以下、具体的な動作について説明する。
【００３３】
図１に示す電源ラインＬ1a、Ｌ1b、・・・上の住宅分電盤４ａ、４ｂ、・・・は、電力会社３からの電源供給を分電しており、分電された電源は、図２に示す親機２ａ、２ｂ、・・・の分電盤側Ｉ／Ｆ２０８を経由して電源回路２０４と、家電機器６ａ、６ｂ、・・・とにそれぞれ供給されている。また、親機２ａ、２ｂ、・・・の電源回路２０４は、受電された電源を、当該親機の構成各部／回路にそれぞれ待受電源または動作電源として供給することができる。さらに、家電機器６ａ、６ｂ、・・・は、それぞれ受電された電源が動作電源となる。
【００３４】
次に、集合住宅のエントランスに居る来訪者が住戸内に在室中の居住者を呼び出す、ここでは、親機２ａが設置された（特定の）住戸内に在室中の居住者を呼び出すために玄関機１の操作部１００を使用して所定の呼出操作を行うと、親機２ａに予め割り当てられている居室番号を付加した呼出信号が生成される。この呼出信号は、玄関機１から玄関機ラインＬ3、制御機７、親機ラインＬ4、（全ての）親機２ａ、２ｂ、・・・の制御機側Ｉ／Ｆ２１０を経由して制御回路２０７にそれぞれ伝送される。
【００３５】
また、玄関機１のカメラ１０１は、呼出操作を行った来訪者の映像（集合住宅のエントランスの周囲近傍の映像を含む。）の撮像を開始する。このカメラ１０１にて撮像された映像は、信号処理、例えば、映像変調信号にＦＭ変調された後、玄関機１から玄関機ラインＬ3、制御機７、親機ラインＬ4、（全ての）親機２ａ、２ｂ、・・・の制御機側Ｉ／Ｆ２１０を経由して映像処理回路２０６にそれぞれ伝送される。
【００３６】
（全ての）親機２ａ、２ｂ、・・・の制御回路２０７は、玄関機１から伝送されてきた呼出信号に付加されている居室番号と自親機が有する個別の居室番号とを照合し、一致した場合には、集合住宅のエントランスに居る来訪者からの呼び出しがあることを検出する。ここでは、親機２ａの制御回路２０７のみ居室番号が一致し、この制御回路２０７は、電源回路２０４を制御して、待受電源よりも高電圧な動作電源を当該親機の構成各部／回路にそれぞれ供給することができる。また、親機２ａの制御回路２０７は、集合住宅のエントランスに居る来訪者からの呼び出しがある旨の呼出音や音声メッセージ等をスピーカ２００から放音させるとともに、モニタ２０２および映像処理回路２０６をそれぞれ制御して、同様な内容の呼出メッセージや絵データ等をモニタ２０２に表示させて呼出報知を行うことができる。さらに、親機２ａの映像処理回路２０６は、玄関機１から伝送されてきた映像変調信号を復調してモニタ２０２に送出することにより、呼出操作を行った来訪者の映像（住宅のエントランスの周囲近傍の映像を含む。）をモニタ２０２に出画させることができる。
【００３７】
この後、前述の呼出報知を来訪者の識別と併せて確認できた居住者は、親機２ａの操作部２０３を使用して所定の応答操作を行うと、この操作を検出した制御回路２０７により通話回路２０５および玄関機１の通話路形成機能（詳述せず。）がそれぞれ制御され、居住者が使用するマイク２０１およびスピーカ２００と、通話回路２０５、制御機側Ｉ／Ｆ２１０、親機ラインＬ4、制御機７、玄関機ラインＬ3を経由して来訪者が使用する玄関機１のマイク１０２およびスピーカ１０３との間の通話路が形成されることにより、この通話路を経由して音声信号を送受信させることで通話が成立する。
【００３８】
また、前述の通話を成立させていた居住者が親機２ａの操作部２０３を使用して所定の終話操作を行うと、この終話操作を検出した制御回路２０７は、通話回路２０５および玄関機１の通話路形成機能がそれぞれ非能動となるように制御して通話路を遮断することにより、通話を終了させることができる。
【００３９】
なお、前述までの説明によれば、親機２ａの通話回路２０６および玄関機１の通話路形成機能がそれぞれ非能動となるように制御して通話路を遮断する終話手段として、居住者が操作部２０３を使用して所定の終話操作を行った場合について説明したが、これに限定されるものではない。例えば、親機２ａの操作部２０３に使用による所定の応答操作を検出した制御回路２０７の制御により、予め設定されている通話時間を計時させ、この計時が終了（タイムアップ）したときに通話回路２０５および玄関機１の通話路形成機能が非能動となるように制御して通話路を遮断することにより、通話を終了させることもできる。
【００４０】
次に、親機２ａ、２ｂ、・・・の構成各部／回路へとそれぞれ待受電源または動作電源を供給し、さらには、家電機器６ａ、６ｂ、・・・にそれぞれ動作電源を供給している住宅分電盤４ａ、４ｂ、・・・は、これら親機２ａ、２ｂ、・・・の構成各部／回路および家電機器６ａ、６ｂ、・・・にて消費される電流量を示す消費電流信号と、例えば、漏電、電気の使い過ぎ、トラッキング等により電力会社３からの電源供給が過電流であることを示す過電流警報信号とを生成することができる。
【００４１】
ここで、住宅分電盤４ａ、４ｂ、・・・のうち、例えば、住宅分電盤４ａにて消費電流信号が生成された場合、この消費電流信号は、住宅分電盤４ａから電源ラインＬ1a、親機２ａの分電盤側Ｉ／Ｆ２０８を経由して制御回路２０７に定期的または連続して伝送される。
【００４２】
親機２ａの制御回路２０７は、電源ラインＬ1aを経由して住宅分電盤４ａから伝送されてきた消費電流信号をもとに、自親機の構成各部／回路および家電機器６ａにてそれぞれ消費されている消費電流量を検出し、検出された消費電流量を示す確認メッセージや絵データ等をモニタ２０２に表示させる、或いは、検出された消費電流量をモニタ２００の画面上にインジケータでレベル表示させることができる。
【００４３】
一方、電力会社３からの電源供給が過電流であり、住宅分電盤４ａにて過電流警報信号が生成された場合、この過電流警報信号は、前述の消費電流信号と同様な信号伝送路を経由して親機２ａの制御回路２０７に伝送される。
【００４４】
親機２ａの制御回路２０７は、電源ラインＬ1aを経由して住宅分電盤４ａから伝送されてきた過電流警報信号をもとに、電力会社３からの電源供給が過電流であることを検出し、検出された内容の警報音（警報の音声メッセージを含む。）をスピーカ２００から鳴動させて警報発報を行うことができる。
【００４５】
また、電力会社３からの電源供給が過電流であることを検出した親機２ａの制御回路２０７は、家電機器６ａの動作による使用電流を制限するための電流制限信号を生成する。この電流制限信号は、制御回路２０７からサーバ側Ｉ／Ｆ２０９、サーバラインＬ2aを経由してホームサーバ５ａに伝送される。
【００４６】
さらに、ホームサーバ５ａは、サーバラインＬ2aを経由して親機２ａの制御回路２０７から伝送されてきた電流制限信号をもとに、電力会社３からの電源供給が過電流であることを検出し、家電機器６ａの動作による使用電流を制限することができる。
【００４７】
なお、本発明の実施例において、親機２ａ（２ａ、２ｂ、・・・）の制御回路２０７は、住宅分電盤４ａ（４ａ、４ｂ、・・・）にて生成される消費電流信号に応じた発報手段として、モニタ２０２を使用した確認メッセージや絵データ等の表示、或いは、インジケータによるレベル表示を適用したが、この発報手段に限定されるものでない。例えば、モニタ２０２を使用した前述の発報（表示）手段に代わって、スピーカ２００から確認音（確認の音声メッセージを含む。）を定期的に放音させる発報手段を適用する。或いは、モニタ２０２を使用した前述の発報（表示）手段およびスピーカ２００を使用した前述の発報手段を併せて適用することもできる。
【００４８】
また、親機２ａ（２ａ、２ｂ、・・・）の制御回路２０７は、住宅分電盤４ａ（４ａ、４ｂ、・・・）にて生成される過電流警報信号に応じた発報手段として、スピーカ２００からの警報音（警報の音声メッセージを含む。）の鳴動を適用したが、この発報手段に限定されるものでない。例えば、スピーカ２００を使用した前述の発報（警報発報）手段に代わって、モニタ２０２を使用した警報メッセージや絵データ等の表示手段を適用する。或いは、スピーカ２００を使用した前述の発報（警報発報）手段およびモニタ２０２を使用した前述の発報（警報表示）手段を併せて適用することもできる。
【００４９】
なお、本発明の住宅インターホン装置においては、マンション等の集合住宅に適用するにように特定の実施の形態をもって説明してきたが、この形態に限定されるものでなく、本発明の効果を奏する限り、これまで知られた如何なる構成の装置、例えば、本発明による玄関機１を戸建住宅のエントランスに、親機２ａ、２ｂ、・・・を戸建住宅の住戸内にそれぞれ設置し、玄関機１を親機２ａ、２ｂ、・・・に直接接続した住宅インターホン装置の態様であっても採用できるということはいうまでもないことである。
【図面の簡単な説明】
【００５０】
【図１】本発明の実施例による住宅インターホン装置の全体構成を示すシステム説明図。
【図２】本発明の実施例による住宅インターホン装置において、親機の具体的な構成を示すブロック図。
【符号の説明】
【００５１】
１……玄関機
１０１……カメラ
１０２……マイク
１０３……スピーカ
２ａ、２ｂ、・・・ ……親機
２００……スピーカ
２０１……マイク
２０２……モニタ
２０７……制御回路
３……電力会社
４ａ、４ｂ、・・・……住宅分電盤
５ａ、５ｂ、・・・……ホームサーバ
６ａ、６ｂ、・・・……家電機器
【図１】
2007266705.tif 000003
【図２】
2007266705.tif 000004